(57)【要約】  複数のネットワークレベルを有する照明システムが、種々のデバイス間においてメッセージを通信する種々のアドレス方式を実現する。マスタコントローラ１０又はスレーブ変換器２１は、特定の下位のネットワークレベルに関連し、特定のスレーブデバイス３０，３１に割り当てられるアドレスを含むマスタメッセージＭＭを下位のネットワークレベルにおける上記スレーブデバイス３０，３１に伝達する。スレーブデバイスがスレーブ変換器２１，３１である場合、スレーブ変換器２１，３１は、マスタメッセージＭＭを、特定の下位のネットワークレベルに関連し、スレーブデバイス３０，４０に割り当てられるアドレスを含む変換メッセージＴＭに変換し、この変換メッセージＴＭを下位のネットワークレベルにおけるスレーブデバイス３０，４０に伝達する。
2007504617.tif 000002
【特許請求の範囲】
【請求項１】
複数のネットワークレベルの照明システムであって、
第１のネットワークレベルにおける第１のスレーブ変換器と、
前記第1のネットワークレベルに関連し、前記第1のスレーブ変換器に割り当てられる第1のアドレスを含むマスタメッセージを前記第１のスレーブ変換器に伝達するよう動作可能なマスタ制御器と、
第２のネットワークレベルにおける第１のスレーブデバイスと
を有し、
前記第1のスレーブ変換器は、前記マスタメッセージを、前記第２のネットワークレベルに関連し、前記第1のスレーブデバイスに割り当てられる第２のアドレスを含む第1の変換メッセージに変換し、この第1の変換メッセージを前記第1のスレーブデバイスに伝達するよう動作可能である
当該照明システム。
【請求項２】
前記マスタメッセージは第1のコマンドを更に含み、
前記第1のスレーブ変換器は、前記マスタメッセージを前記第２のアドレス及び第２のコマンドに変換する際に前記第1のコマンドを利用し、
前記第１の変換メッセージは、前記第２のアドレスと前記第２のコマンドとを含む
請求項１記載の照明システム。
【請求項３】
前記第1のスレーブ変換器は、前記マスタメッセージを前記第２のアドレス及び第２のコマンドに変換する際に前記第1のアドレスを利用し、
前記第１の変換メッセージは、前記第２のアドレスと前記第２のコマンドとを含む
請求項１記載の照明システム。
【請求項４】
前記第1のスレーブデバイスは照明デバイスであり、
前記第１の変換メッセージは前記照明デバイスを動作させる命令を含む
請求項１記載の照明システム。
【請求項５】
前記第1のスレーブデバイスは照明デバイスであり、
前記第１の変換メッセージは前記照明デバイスの動作状態のクエリを含む
請求項１記載の照明システム。
【請求項６】
前記第1のスレーブデバイスは、前記第１の変換メッセージに反応する第１のスレーブメッセージを前記第１のスレーブ変換器に伝達するよう動作可能な照明デバイスである請求項１記載の照明システム。
【請求項７】
前記第1のスレーブ変換器は、前記第１のスレーブメッセージに基づく第２のスレーブメッセージを第３のネットワークレベルにおける前記マスタ制御器に伝達するよう更に動作可能である請求項６記載の照明システム。
【請求項８】
第３のネットワークレベルにおける第２のスレーブデバイスを更に有し、
前記第１のスレーブデバイスは、前記第１の変換メッセージを第２の変換メッセージに変換するよう動作可能である第２のスレーブ変換器であり、
この第２のスレーブ変換器は、前記第３のネットワークレベルに関連し、前記第２のスレーブデバイスに割り当てられる第３のアドレスを含む前記第２の変換メッセージを前記第２のスレーブデバイスに伝達するよう更に動作可能である
請求項１記載の照明システム。
【請求項９】
前記第１の変換メッセージは第１のコマンドを更に含み、
前記第２のスレーブ変換器は、前記変換メッセージを前記第３のアドレス及び第２のコマンドに変換する際に前記第１のコマンドを利用し、
前記第２の変換メッセージは、前記第３のアドレスと前記第２のコマンドとを含む
請求項８記載の照明システム。
【請求項１０】
前記第２のスレーブ変換器は、前記変換メッセージを第３のアドレス及び第２のコマンドに変換する際に前記第２のアドレスを利用し、
前記第２の変換メッセージは、前記第３のアドレスと前記第２のコマンドとを含む
請求項８記載の照明システム。
【請求項１１】
前記第２のスレーブデバイスは照明デバイスであり、
前記第２の変換メッセージは、前記照明デバイスを動作させる命令を含む
請求項８記載の照明システム。
【請求項１２】
前記第２のスレーブデバイスは照明デバイスであり、
前記第２の変換メッセージは、前記照明デバイスの動作状態のクエリを含む
請求項８記載の照明システム。
【請求項１３】
前記第２のスレーブデバイスは、前記第２の変換メッセージに反応するスレーブメッセージを前記第２のネットワークレベルにおける前記第２のスレーブ変換器に伝達するよう動作可能な照明デバイスである請求項８記載の照明システム。
【請求項１４】
前記第２のスレーブ変換器は、前記第１のスレーブメッセージに基づく第２のスレーブメッセージを前記第１のスレーブ変換器に伝達するよう更に動作可能であり、
前記第１のスレーブ変換器は、前記第２のスレーブメッセージに基づく第３のスレーブメッセージを第４のネットワークレベルにおける前記マスタ制御器に伝達するよう更に動作可能である
請求項１３記載の照明システム。
【請求項１５】
複数のネットワークレベルの照明システムであって、
第１のネットワークレベルにおける第１のスレーブ変換器と、
第２のネットワークレベルにおける第２のスレーブ変換器と、
第３のネットワークレベルにおけるスレーブデバイスと
を有し、
前記第１のスレーブ変換器は、前記第１のネットワークレベルに関連し、前記第２のスレーブ変換器に割り当てられる第１のアドレスを含むマスタメッセージを前記第２のスレーブ変換器に伝達するよう動作可能であり、
前記第２のスレーブ変換器は、前記マスタメッセージを、前記第２のネットワークレベルに関連し、前記スレーブデバイスに割り当てられる第２のアドレスを含む変換メッセージに変換し、この変換メッセージを前記スレーブデバイスに伝達するよう動作可能である
当該照明システム。
【請求項１６】
前記マスタメッセージは第１のコマンドを更に含み、
前記第２のスレーブ変換器は、前記マスタメッセージを前記第２のアドレス及び第２のコマンドに変換する際に前記第１のコマンドを使用し、
前記変換メッセージは、前記第２のアドレスと前記第２のコマンドとを含む
請求項１５記載の照明システム。
【請求項１７】
前記第２のスレーブ変換器は、前記マスタメッセージを前記第２のアドレス及び第２のコマンドに変換する際に前記第１のアドレスを使用し、
前記変換メッセージは、前記第２のアドレスと前記第２のコマンドとを含む
請求項１５記載の照明システム。
【請求項１８】
前記スレーブデバイスは照明デバイスであり、
前記変換メッセージは、前記照明デバイスを動作させる命令を含む
請求項１５記載の照明システム。
【請求項１９】
前記スレーブデバイスは照明デバイスであり、
前記変換メッセージは、前記照明デバイスの動作状態のクエリを含む
請求項１５記載の照明システム。
【請求項２０】
前記スレーブデバイスは、第１のスレーブメッセージを前記第２のスレーブ変換器に伝達するよう動作可能であることと、
前記第２のスレーブ変換器は、前記第１のスレーブメッセージに基づく第２のスレーブメッセージを前記第１のスレーブ変換器に伝達するよう更に動作可能であることと
を更に有する請求項１５記載の照明システム。
【請求項２１】
第４のネットワークレベルにおけるマスタ制御器を更に有し、
前記第１のスレーブ変換器は、第２のスレーブメッセージに基づく第３のスレーブメッセージを前記マスタ制御器に伝達するよう更に動作可能である
請求項２０記載の照明システム。
【請求項２２】
複数のネットワークレベルの照明システムであって、
第１のネットワークレベルにおけるスレーブデバイスと、
第２のネットワークレベルにおける第１のスレーブ変換器と、
第３のネットワークレベルにおけるマスタ制御器と
を有し、
前記第１のスレーブ変換器は、前記第１のネットワークレベルに関連し、前記スレーブデバイスに割り当てられる第１のアドレスを含むマスタメッセージを前記スレーブデバイスに伝達するよう動作可能であり、
前記スレーブデバイスは、前記マスタメッセージに反応する第１のスレーブメッセージを第２のネットワークレベルにおける前記第１のスレーブ変換器に伝達するよう動作可能であり、
前記第１のスレーブ変換器は、前記第１のスレーブメッセージに基づく第２のスレーブメッセージを前記マスタ制御器に伝達するよう更に動作可能である
当該照明システム。
【請求項２３】
複数のネットワークレベルの照明システムであって、
第１のネットワークレベルにおけるスレーブデバイスと、
第２のネットワークレベルにおける第１のスレーブ変換器と、
第３のネットワークレベルにおける第２のスレーブ変換器と
を有し、
前記第１のスレーブ変換器は、前記第１のネットワークレベルに関連し、照明デバイスに割り当てられる第１のアドレスを含むマスタメッセージを前記照明デバイスに伝達するよう動作可能であり、
前記照明デバイスは、前記マスタメッセージに反応するスレーブメッセージを第２のネットワークレベルにおける前記第１のスレーブ変換器に伝達するよう動作可能であり、
前記第１のスレーブ変換器は、前記第１のスレーブメッセージに基づく第２のスレーブメッセージを前記第２のスレーブ変換器に伝達するよう更に動作可能である
当該照明システム。
【請求項２４】
第４のネットワークレベルにおけるマスタ制御器を更に有し、
前記第２のスレーブ変換器は、前記第２のスレーブメッセージに基づく第３のスレーブメッセージを前記マスタ制御器に伝達するよう更に動作可能である
請求項２３記載の照明システム。
【請求項２５】
複数のネットワークレベルの照明システムであって、
第１のネットワークレベルにおけるスレーブデバイスと、
第２のネットワークレベルにおける第１のスレーブ変換器であって、前記第１のネットワークレベルに関連し、前記スレーブデバイスに割り当てられる第１のアドレスを含むメッセージを前記スレーブデバイスに伝達するよう動作可能である当該第１のスレーブ変換器と、
前記第２のネットワークレベルに関連し、前記第１のスレーブ変換器に割り当てられる第２のアドレスを含むマスタメッセージを前記第１のスレーブ変換器に伝達するよう動作可能であるマスタ制御器と
を有し、
前記第１のスレーブ変換器は、前記メッセージに基づくと共に前記マスタメッセージに反応するスレーブメッセージを前記マスタ制御器に伝達するよう動作可能である
当該照明システム。
【請求項２６】
複数のネットワークレベルの照明システムであって、
第１のネットワークレベルにおけるスレーブデバイスと、
第２のネットワークレベルにおける第１のスレーブ変換器と、
第３のネットワークレベルにおける第２のスレーブ変換器と
を有し、
前記第１のスレーブ変換器は、前記第１のネットワークレベルに関連し、前記スレーブデバイスに割り当てられる第１のアドレスを含む第１のメッセージを前記スレーブデバイスに伝達するよう動作可能であり、
前記第２のスレーブ変換器は、前記第２のネットワークレベルに関連し、前記第１のスレーブ変換器に割り当てられる第２のアドレスを含む第２のメッセージを前記第１のスレーブ変換器に伝達するよう動作可能であり、
前記第１のスレーブ変換器は、前記第１のメッセージに基づくと共に前記第２のメッセージに反応する第１のスレーブメッセージを前記第２のスレーブ変換器に伝達するよう更に動作可能である
当該照明システム。
【請求項２７】
第４のネットワークレベルにおけるマスタ制御器を更に有し、
前記第２のスレーブ変換器は、前記第２のメッセージに基づくと共に前記マスタメッセージに反応する第３のスレーブメッセージを前記マスタ制御器に伝達するよう更に動作可能である
請求項２６記載の照明システム。
【発明の詳細な説明】
【技術分野】
【０００１】
本発明は、広くは照明制御システムに関する。本発明は、具体的には、６４よりも多くアドレスされるＤＡＬＩ（Digital Addressable Lighting Interface）照明デバイスを制御することが可能なＤＡＬＩ照明制御システムに関する。
【背景技術】
【０００２】
ＤＡＬＩプロトコルは、照明ネットワークのシステムに属する電子バラスト、制御器及びセンサがデジタル信号を介して制御される既知の方法である。各システムの構成要素はそれ自身のデバイス固有のアドレスを有し、これは中央コンピュータからの個々のデバイスの制御を実現することを可能にする。この能力は中央コンピュータにより制御されるべき照明シーンを可能にし、そこでは、ルーム又はランドスケープのような特定の領域内の幾つかのランプがイルミネーションの質に基づいてムードを引き起こすように設計されたある決まった光レベルに設定される。
【０００３】
ＤＡＬＩプロジェクトに関連する研究業務は１９９０年代の中頃に始まった。しかしながら、商用のアプリケーションの開発は１９９８年の夏に少し遅れて始まった。当時、ＤＡＬＩはデジタルバラストインターフェース（「ＤＢＩ」）という名前の下に進んでいた。インターフェースデバイス（又はバラスト）は、蛍光ランプの制御を可能にする電子インダクタである。ＤＡＬＩ規格は、Helvar社、Huco社、Philips社、Osram社、Tridnic社、Trilux社及びVossloh-Schwabe社のような多数の欧州のバラスト製造業者による研究開発の主題であった。ＤＡＬＩ規格は、欧州電子バラスト規格「EN60929 Annex E」に追加されたと理解されており、「デジタル信号による制御」と題された国際電気標準会議９２９（「IEC929」）への草案の修正において初めて述べられた。従って、ＤＡＬＩは当業者によく知られている。この規格化のために、製造業者がＤＡＬＩ規格に準拠している場合、異なる製造業者の製品が相互に接続され得る。上記規格は、個々のバラストのアドレス能力を具体化している。すなわち、バラストが必要に応じて個々に制御され得る。今日まで、アナログの１〜１０ボルト直流低電圧制御バスに接続される各バラストは同時制御の支配下にあった。ＤＡＬＩ規格により可能になる他の利点は、照明ネットワークの中央制御ユニットへのバラストの状態の通信である。これは、照明器具が広く分散される際の広範囲の取り付けに特に有用である。ＤＡＬＩ規格に準拠し、状態のデータを得るコマンドの実行は、バラスト側のインテリジェンスを前もって推定する。これは、一般に、ＤＡＬＩに準拠したバラスト内にマイクロプロセッサを搭載することにより与えられ、このマイクロプロセッサは他の制御タスクも実行する。代替として、２つのマイクロプロセッサが利用され得、一方はＤＡＬＩ通信を解釈し、要求に応じて処理するためのものであり、他方はランプの制御及び診断法（diagnostics）を与えるためのものである。ＤＡＬＩ技術に基づく最初の製品は、１９９９年末に市販された。
【０００４】
「デジタル」という語は、家庭用電気器具及び工業プロセスに組み込まれる制御技術に関してこの１０年の間に我々が慣れ親しむようになった用語である。現在、デジタル制御は、新しいＤＡＬＩ規格の結果として照明産業においてますます一般的になっている。
【０００５】
ＤＡＬＩメッセージは、論理レベル「ロー」から「ハイ」への移行（すなわち、上昇パルス）がビット値「１」に対応し、論理レベル「ハイ」から「ロー」への移行（すなわち、下降パルス）がビット値「０」に対応するようにビット値「１」及び「０」が２つの異なる電圧レベルとしてそれぞれ与えられる符号化方式であるバイフェーズ又はマンチェスタに準拠している。この符号化方式は、エラー検出を含んでおり、伝達されるメッセージが存在しない場合又は同じビット値が連続して数回繰り返される場合であっても制御ユニットへの電力供給を可能にする。（中央制御ユニットからローカルバラストへの通信に用いられる）バスの順方向のフレームは、１スタートビット、８アドレスビット、８データ／コマンドビット及び２ストップビットの計１９ビットにより構成される。（ローカルバラストから中央制御ユニットに戻る）逆方向のフレームは、１スタートビット、８データビット及び２ストップビットの計１１ビットにより構成される。固有の通信速度（baud rate）は２４００である。
【０００６】
ＤＡＬＩメッセージは、アドレス部とコマンド部により構成される。上記アドレス部は、メッセージがどのＤＡＬＩモジュールに向けられているかを決定する。モジュールは全て、「ブロードキャスト」アドレスを用いてコマンドを実行する。６４の固有のアドレスが利用可能であり、それに加えて１６のグループアドレスを利用可能である。特定のモジュールは、一度に１よりも多くのグループに属し得る。コマンドは個々のアドレス又はグループアドレスに作られることが可能であり、個々の及び／又はグループアドレスを伴って照明シーンが規定され得る。
【０００７】
光のレベルは、８ビット数を用い、合計１２８の照明レベルをもたらすＤＡＬＩメッセージにおいて規定される。値「０」（ゼロ）、すなわちバイナリ００００００００は、ランプが点灯していないことを意味する。残りの１２７のレベルは利用可能な種々の輝度（dim）レベルに対応する。ＤＡＬＩ規格は、光が直線的に変化することを人間の目が見た場合に指数関数的な変動曲線に従うよう光のレベルを決定する。全てのＤＡＬＩバラスト及び制御器は、それらの絶対最小レベルに関係なく同じ対数曲線に従う。ＤＡＬＩ規格は、０．１％ないし１００％の範囲にわたって光のレベルを決定する。ＤＡＬＩ規格におけるレベル１、すなわちバイナリ０００００００１は、０．１％の光レベルに対応する。
【０００８】
コマンドの形式のＤＡＬＩメッセージの例は、「Go to light level xx」、「Go to minimum level」、「Set value xx as regulation speed」、「Go to level compliant with situation xx」及び「Turn lamp off」を含んでいる。クエリ（質問）の形式のＤＡＬＩメッセージの例は、「What light level are you on?」及び「What is your status?」を含んでいる。
【０００９】
ＤＡＬＩプロトコルに関する概念は、蛍光ランプ用バラストの主な製造業者がプロトコルの開発においてデジタル制御の利点をできる限り多くのユーザの手の届く範囲内に存在させるという主要な理念を伴って協調して取り組んだ際に生じた。また、目的は、システム内においていかなる製造業者のデバイスも相互接続され得るように「オープンアーキテクチャ」の概念を支持することであった。
【００１０】
制御に加えて、デジタルプロトコルは、調整レベルとランプ及びそのバラストの状態とに関して照明器具からフィードバック情報が得られることを可能にする。
【００１１】
ＤＡＬＩプロトコルを用いるシステムに関する典型的なアプリケーションの例は、オフィス及び会議の設備、教室並びに照明の調節において高い自由度を要する設備である。ＤＡＬＩ技術は、高性能な個々の照明器具と建物のオートメーションバスに接続される多数のセグメントとの照明制御の費用効果に優れた実現を可能にする。
【発明の開示】
【発明が解決しようとする課題】
【００１２】
ＤＡＬＩ技術に基づく照明制御セグメントは、対ケーブルにより相互接続される最大６４の個々のアドレスにより構成される。望まれているものは、現在利用可能な６４の固有のアドレス以上に固有のアドレス数を増加させるＤＡＬＩシステムである。これは、６４よりも多くのバラストを伴う建物にＤＡＬＩ制御を与えるために有用である。
【課題を解決するための手段】
【００１３】
本発明の１つの形態は、複数のネットワークレベルを有する照明システム内においてメッセージを通信する方法である。
【００１４】
第1の形態では、マスタ制御器が、第１のネットワークレベルに関連し、スレーブ変換器に割り当てられる第１のアドレスを含むマスタメッセージを上記第１のネットワークレベルにおけるスレーブ変換器に伝達する。上記スレーブ変換器は、上記マスタメッセージを変換メッセージに変換し、第２のネットワークレベルに関連し、スレーブデバイスに割り当てられる第２のアドレスを含む該変換メッセージを第２のネットワークレベルにおけるスレーブデバイスに伝達する。
【００１５】
第２の形態では、第１のスレーブ変換器が、第１のネットワークレベルに関連し、第２のスレーブ変換器に割り当てられる第１のアドレスを含むマスタメッセージを上記第１のネットワークレベルにおける第２のスレーブ変換器に伝達する。上記第２のスレーブ変換器は、上記マスタメッセージを変換メッセージに変換し、第２のネットワークレベルに関連し、スレーブデバイスに割り当てられる第２のアドレスを含む該変換メッセージを第２のネットワークレベルにおけるスレーブデバイスに伝達する。
【００１６】
第３の形態では、スレーブ変換器が、第１のネットワークレベルに関連し、スレーブ変換器に割り当てられるアドレスを含むマスタメッセージを上記第１のネットワークレベルにおける照明デバイスに伝達する。上記スレーブデバイスは、上記マスタメッセージに反応する第１のスレーブメッセージを第２のネットワークレベルにおける上記スレーブ変換器に伝達する。上記スレーブ変換器は、上記第１のスレーブメッセージに基づく第２のスレーブメッセージを第３のネットワークレベルにおけるマスタ制御器に伝達する。
【００１７】
第４の形態では、第１のスレーブ変換器が、第１のネットワークレベルに関連し、スレーブデバイスに割り当てられる第１のアドレスを含むマスタメッセージを第１のネットワークレベルにおける照明デバイスに伝達する。上記スレーブデバイスは、上記マスタメッセージに反応する第１のスレーブメッセージを第２のネットワークレベルにおける上記第１のスレーブ変換器に伝達する。上記第１のスレーブ変換器は、上記第１のスレーブメッセージに基づく第２のスレーブメッセージを第３のネットワークレベルにおける第２の変換器に伝達する。
【００１８】
第５の形態では、スレーブ変換器が、第１のネットワークレベルに関連し、スレーブデバイスに割り当てられる第１のアドレスを含むマスタ／変換メッセージを上記第１のネットワークレベルにおけるスレーブデバイスに伝達する。その後、マスタ制御器が、第２のネットワークレベルに関連し、上記スレーブ変換器に割り当てられる第２のアドレスを含む第２のマスタメッセージを第２のネットワークレベルにおける上記スレーブ変換器に伝達する。上記スレーブ変換器は、上記マスタ／変換メッセージに基づくと共に上記第２のマスタメッセージに反応するスレーブメッセージを上記マスタ制御器に伝達する。
【００１９】
第６の形態では、第１のスレーブ変換器が、第１のネットワークレベルに関連し、スレーブデバイスに割り当てられる第１のアドレスを含むマスタ／変換メッセージを上記第１のネットワークレベルにおけるスレーブデバイスに伝達する。その後、第２のスレーブ変換器が、第２のネットワークレベルに関連し、上記第１のスレーブ変換器に割り当てられる第２のアドレスを含む第２のマスタメッセージを第２のネットワークレベルにおける上記第１のスレーブ変換器に伝達する。上記第１のスレーブ変換器は、上記マスタ／変換メッセージに基づくと共に上記第２のマスタメッセージに反応するスレーブメッセージを上記第２のスレーブ変換器に伝達する。
【００２０】
本発明の上述の形態並びに他の形態、特徴及び利点は、以下の現在好ましい実施の形態の詳細な説明を添付の図面と共に読むことから更に明らかになるであろう。詳細な説明及び図面は、後に付されている特許請求の範囲により規定される本発明の範囲およびそれと同等のものを限定するのではなく、本発明の単なる一例である。
【発明を実施するための最良の形態】
【００２１】
図１に示されているような照明システムは、最上位のネットワークレベルにおいて通常のマスタ制御器（「ＭＣ」）１０を使用する。１つの中間のネットワークレベルにおいて、このシステムは通常の照明デバイス（「ＬＤ」）のペア２０，２２と固有のスレーブ変換器（「ＳＴ」）２１とを使用し、これら全ては通常通りマスタ制御器１０に接続されている。他の中間のネットワークレベルにおいては、通常の照明デバイス（「ＬＤ」）のペア３０，３２と固有のスレーブ変換器（「ＳＴ」）３１とを使用し、これら全ては通常通りスレーブ変換器２１に接続されている。最下位のネットワークレベルでは、３つの通常の照明デバイス（「ＬＤ」）４０〜４２が通常通りスレーブ変換器３１に接続されている。
【００２２】
マスタ制御器１０は、（１）マスタメッセージを生成し、該マスタメッセージを照明デバイス２０，２２及びスレーブ変換器２１に伝達し、（２）照明デバイス２０，２２及びスレーブ変換器２１からスレーブメッセージを受け取り、解読するよう構造的に構成された通常の電子モジュールである。マスタ制御器１０は、マスタメッセージを生成し、伝達する際、及びスレーブメッセージを受け取り、解読する際にＤＡＬＩプロトコルを利用することが好ましい。従って、マスタ制御器１０は、ＤＡＬＩアドレス方式（すなわち、個々のアドレス、グループアドレス及びブロードキャストアドレス）及びＤＡＬＩコマンド方式（すなわち、命令及びクエリ）を実現する。
【００２３】
照明デバイス２０，２２は、（１）マスタ制御器１０からのマスタメッセージを受け取り、解読し、（２）スレーブメッセージの生成及びマスタ制御器１０への伝達を伴って適切な時に応答するよう構造的に構成された通常の電子モジュールである。照明デバイス２０，２２は、マスタメッセージを受け取り、解読する際、及びスレーブメッセージを生成し、伝達する際にＤＡＬＩプロトコルを利用することが好ましい。
【００２４】
スレーブ変換器２１は、（１）マスタ制御器１０からのマスタメッセージを受け取り、該マスタメッセージを１つ又はそれ以上の変換メッセージに変換し、（２）この変換メッセージを照明デバイス３０，３２及びスレーブ変換器３１に伝達し、（３）適切な時にマスタメッセージを照明デバイス３０，３２及びスレーブ変換器３１に伝達し、（４）照明デバイス３０，３２及びスレーブ変換器３１からのスレーブメッセージを受け取り、解読し、（５）スレーブメッセージを生成し、適切な時に該スレーブメッセージをマスタ制御器１０に伝達するよう構造的に構成された電子モジュールである。スレーブ変換器２１は、マスタ／変換／スレーブメッセージを生成し、伝達する際、及びスレーブメッセージを受け取り、解読する際にＤＡＬＩプロトコルを利用することが好ましい。従って、スレーブ変換器２１は、ＤＡＬＩアドレス方式（すなわち、個々のアドレス、グループアドレス及びブロードキャストアドレス）及びＤＡＬＩコマンド方式（すなわち、命令及びクエリ）を実現する。
【００２５】
照明デバイス３０，３２は、（１）スレーブ変換器２１からのマスタメッセージを受け取り、解読し、（２）スレーブメッセージの生成及びスレーブ変換器２１への伝達を伴って適切な時に応答するよう構造的に構成された通常の電子モジュールである。
【００２６】
スレーブ変換器３１は、（１）スレーブ変換器２１からのマスタメッセージを受け取り、該マスタメッセージを１つ又はそれ以上の変換メッセージに変換し、（２）この変換メッセージを照明デバイス４０〜４２に伝達し、（３）適切な時にマスタメッセージを照明デバイス４０〜４２に伝達し、（４）照明デバイス３０，３２及びスレーブ変換器３１からのスレーブメッセージを受け取り、解読し、（５）スレーブメッセージを生成し、適切な時に該スレーブメッセージをスレーブ変換器２１に伝達するよう構造的に構成された電子モジュールである。スレーブ変換器３１は、マスタ／変換／スレーブメッセージを生成し、伝達する際、及びスレーブメッセージを受け取り、解読する際にＤＡＬＩプロトコルを利用することが好ましい。従って、スレーブ変換器３１は、ＤＡＬＩアドレス方式（すなわち、個々のアドレス、グループアドレス及びブロードキャストアドレス）及びＤＡＬＩコマンド方式（すなわち、命令及びクエリ）を実現する。
【００２７】
照明デバイス４０〜４２は、（１）スレーブ変換器３１からのマスタメッセージを受け取り、解読し、（２）スレーブメッセージの生成及びスレーブ変換器３１への伝達を伴って適切な時に応答するよう構造的に構成された通常の電子モジュールである。照明デバイス４０〜４２は、マスタメッセージを受け取り、解読する際、及びスレーブメッセージを生成し、伝達する際にＤＡＬＩプロトコルを利用することが好ましい。
【００２８】
上述の説明から、図１に示されている照明システムの新規の特徴は、マスタ制御器１０とスレーブ変換器２１とのマスタ−スレーブ関係、スレーブ変換器２１とスレーブデバイス３０〜３２とのマスタ−スレーブ関係及びスレーブ変換器３１と照明デバイス４０〜４２とのマスタ−スレーブ関係であることが理解されるべきである。
【００２９】
実際には、マスタ制御器１０及びスレーブデバイス２０〜４２の構造的な構成は、照明システム１０の商業上の実現（implementation）に依存する。ある実施の形態では、マスタ制御器１０、照明デバイス２０、照明デバイス２２、照明デバイス３０、照明デバイス３２及び照明デバイス４０〜４２は、対応する上述の機能を実行する際、ＤＡＬＩプロトコルを実現するために通常の構造的な構成を使用する一方で、スレーブ変換器２１及びスレーブ変換器３１は、対応する上述の機能を実行する際、ＤＡＬＩプロトコルを実現するために図２及び図３にそれぞれ示されているような構造的な構成を使用する。
【００３０】
図２に示されているようなスレーブ変換器２１は、マスタインターフェース（「ＭＩＦ」）２４、スレーブインターフェース（「ＳＩＦ」）２５、マイクロプロセッサ（「μＰ」）２６及びメモリ（「ＭＥＭ」）２７間の通信を容易にするバス２３を使用する。インターフェース２４，２５は、ＤＡＬＩプロトコルに従ってマスタ制御器１０及びスレーブデバイス３０〜３２とそれぞれメッセージを通信する通常の構造的な構成を使用する。メモリ（「ＭＥＭ」）２７は、変換プログラム（「ＴＰ」）２８を該メモリに記憶し、変換プログラム２８に関連するデータを読み出し、書き込む通常の構造的な構成を使用する。マイクロプロセッサ２６は、メモリ２７内に記憶された新しい固有の変換プログラム（「ＴＰ」）２８を実行する通常の構造的な構成を使用する。
【００３１】
同様に、図３に示されているように、スレーブ変換器３１は、マスタインターフェース（「ＭＩＦ」）３４、スレーブインターフェース（「ＳＩＦ」）３５、マイクロプロセッサ（「μＰ」）３６及びメモリ（「ＭＥＭ」）３７間の通信を容易にするバス２３を使用する。インターフェース３４，３５は、ＤＡＬＩプロトコルに従ってスレーブ変換器２１及びスレーブデバイス４０〜４２とそれぞれメッセージを通信する通常の構造的な構成を使用する。メモリ（「ＭＥＭ」）３７は、変換プログラム（「ＴＰ」）３８を該メモリに記憶し、変換プログラム３８に関連するデータを読み出し、書き込む通常の構造的な構成を使用する。マイクロプロセッサ３６は、メモリ３７内に記憶された新しい固有の変換プログラム（「ＴＰ」）３８を実行する通常の構造的な構成を使用する。
【００３２】
図２及び図３を参照すると、変換プログラム２８，３８は、コマンド変換モード、アドレス変換モード、コマンド−アドレス変換モード、アドレス−コマンド変換モード及びデフォルトの変換モードのいずれかにおいてスレーブ変換器２１，３１を動作させるコンピュータにより読み取り可能なコードを含んでいる。
【００３３】
上記コマンド変換モードでは、スレーブ変換器２１は、マスタメッセージを変換メッセージに変換するための基礎としてマスタ制御器１０からのマスタメッセージ内のＤＡＬＩコマンドを使用する。同様に、スレーブ変換器３１は、マスタメッセージ又は変換メッセージを変換するための基礎としてスレーブ変換器２１からのマスタメッセージ又は変換メッセージ内のＤＡＬＩコマンドを使用する。
【００３４】
上記アドレス変換モードでは、スレーブ変換器２１は、マスタメッセージを変換メッセージに変換するための基礎としてマスタ制御器１０からのマスタメッセージ内のＤＡＬＩアドレスを使用する。同様に、スレーブ変換器３１は、マスタメッセージ又は変換メッセージを変換するための基礎としてスレーブ変換器２１からのマスタメッセージ又は変換メッセージ内のＤＡＬＩアドレスを使用する。
【００３５】
上記コマンド−アドレス変換モードでは、スレーブ変換器２１は、マスタメッセージを変換メッセージに変換するための基礎としてマスタ制御器１０からのマスタメッセージ内のＤＡＬＩコマンド及びＤＡＬＩアドレスを順次使用する。同様に、スレーブ変換器３１は、マスタメッセージ又は変換メッセージを変換するための基礎としてスレーブ変換器２１からのマスタメッセージ又は変換メッセージ内のＤＡＬＩコマンド及びＤＡＬＩアドレスを順次使用する。
【００３６】
上記アドレス−コマンド変換モードでは、スレーブ変換器２１は、マスタメッセージを変換メッセージに変換するための基礎としてマスタ制御器１０からのマスタメッセージ内のＤＡＬＩアドレス及びＤＡＬＩコマンドを順次使用する。同様に、スレーブ変換器３１は、マスタメッセージ又は変換メッセージを変換するための基礎としてスレーブ変換器２１からのマスタメッセージ又は変換メッセージ内のＤＡＬＩアドレス及びＤＡＬＩコマンドを順次使用する。
【００３７】
デフォルトの変換モードでは、スレーブ変換器２１は、マスタメッセージを変換メッセージに変換するための基礎としてマスタ制御器１０からのマスタメッセージの受信を使用する。同様に、スレーブ変換器３１は、マスタメッセージ又は変換メッセージを変換するための基礎としてスレーブ変換器２１からのマスタメッセージ又は変換メッセージの受信を使用する。
【００３８】
上記コマンド変換モードを理解し易くするために、図４〜図６は、以下の例示的な表１に従うコマンド変換モードの下における種々のメッセージの例示的な通信を示している。
【表１】
2007504617.tif 000003
【００３９】
ＸＸ＊は、スレーブ変換器２１に割り当てられる個々のＤＡＬＩアドレス、グループＤＡＬＩアドレス又はブロードキャストＤＡＬＩアドレスのいずれか１つである。
【００４０】
図４は、表１に従ったスレーブ変換器２１によるコマンドＣ１の個々にアドレスされる変換メッセージＴＭ１〜ＴＭ３への変換と、スレーブ変換器２１からスレーブデバイス３０〜３２への個々にアドレスされる変換メッセージＴＭ１〜ＴＭ３の伝達とを示している。図４は、また、表１に従ったスレーブ変換器３１によるコマンドＣ５の個々にアドレスされる変換メッセージＴＭ４〜ＴＭ６への変換と、スレーブ変換器３１からスレーブデバイス４０〜４２への個々にアドレスされる変換メッセージＴＭ４〜ＴＭ６の伝達とを示している。
【００４１】
図５は、表１に従ったスレーブ変換器２１によるコマンドＣ２のグループアドレスされる変換メッセージＴＭ７への変換と、スレーブ変換器２１からスレーブデバイス３０，３１へのグループアドレスされる変換メッセージＴＭ７の伝達とを示している。図５は、また、表１に従ったスレーブ変換器３１によるコマンドＣ１０のグループアドレスされる変換メッセージＴＭ８への変換と、スレーブ変換器３１からスレーブデバイス４０，４１へのグループアドレスされる変換メッセージＴＭ８の伝達とを示している。
【００４２】
図６は、表１に従ったスレーブ変換器２１によるコマンドＣ３のブロードキャストアドレスされる変換メッセージＴＭ９への変換と、スレーブ変換器３１からスレーブデバイス４０〜４２へのブロードキャストアドレスされる変換メッセージＴＭ１０の伝達とを示している。図６は、また、表１に従ったスレーブ変換器３１によるコマンドＣ１２のブロードキャストアドレスされる変換メッセージＴＭ１０への変換と、スレーブ変換器３１からスレーブデバイス４０〜４２へのグループアドレスされる変換メッセージＴＭ１０の伝達とを示している。
【００４３】
上記アドレス変換モードを理解し易くするために、図７〜図９は、以下の例示的な表２に従うアドレス変換モードの下における種々のメッセージの例示的な通信を示している。
【表２】
2007504617.tif 000004
【００４４】
ＹＹ＊は、命令又はクエリの形式のＤＡＬＩコマンドである。
【００４５】
図７は、表２に従ったスレーブ変換器２１による個々のアドレスＡ１の個々にアドレスされる変換メッセージＴＭ１１〜ＴＭ１３への変換と、スレーブ変換器２１からスレーブデバイス３０〜３２への個々にアドレスされる変換メッセージＴＭ１１〜ＴＭ１３の伝達とを示している。図７は、また、表２に従ったスレーブ変換器３１によるアドレスＡ１５の個々にアドレスされる変換メッセージＴＭ１４〜ＴＭ１６への変換と、スレーブ変換器３１からスレーブデバイス４０〜４２への個々にアドレスされる変換メッセージＴＭ１４〜ＴＭ１６の伝達とを示している。
【００４６】
図８は、表２に従ったスレーブ変換器２１によるグループアドレスＡ２のグループアドレスされる変換メッセージＴＭ１７への変換と、スレーブ変換器２１からスレーブデバイス３０，３１へのグループアドレスされる変換メッセージＴＭ１７の伝達とを示している。図８は、また、表２に従ったスレーブ変換器３１によるアドレスＡ２０のグループアドレスされる変換メッセージＴＭ１８への変換と、スレーブ変換器３１からスレーブデバイス４０，４１へのグループアドレスされる変換メッセージＴＭ１８の伝達とを示している。
【００４７】
図９は、表２に従ったスレーブ変換器２１によるブロードキャスタアドレスＡ３のブロードキャストアドレスされる変換メッセージＴＭ１９への変換と、スレーブ変換器２１からスレーブデバイス３０〜３２へのブロードキャストアドレスされる変換メッセージＴＭ１９の伝達とを示している。図９は、また、表２に従ったスレーブ変換器３１によるアドレスＡ２２のブロードキャストアドレスされる変換メッセージＴＭ２０への変換と、スレーブ変換器３１からスレーブデバイス４０〜４２へのグループアドレスされる変換メッセージＴＭ２０の伝達とを示している。
【００４８】
上記デフォルトの変換モードを理解し易くするために、図１０は、以下の例示的な表３に従うアドレス変換モードの下における種々のメッセージの例示的な通信を示している。
【表３】
2007504617.tif 000005
【００４９】
ＸＸ＊は、スレーブ変換器２１に割り当てられる個々のＤＡＬＩアドレス、グループＤＡＬＩアドレス又はブロードキャストＤＡＬＩアドレスのいずれか１つである。
【００５０】
ＹＹ＊は、命令又はクエリの形式のＤＡＬＩコマンドである。
【００５１】
図１０は、表３に従ったスレーブ変換器２１によるマスタメッセージＭＭ７のブロードキャストアドレスされる変換メッセージＴＭ１９への変換と、スレーブ変換器２１からスレーブデバイス３０〜３２へのブロードキャストアドレスされる変換メッセージＴＭ１９の伝達とを示している。図１０は、また、表３に従ったスレーブ変換器３１による変換メッセージＴＭ１９のブロードキャストアドレスされる変換メッセージＴＭ２０への変換と、スレーブ変換器３１からスレーブデバイス４０〜４２へのグループアドレスされる変換メッセージＴＭ２０の伝達とを示している。
【００５２】
以下の図４〜図１０の説明から、当業者であれば、どのようにして表１〜表３が変換プログラム２８，３８内にルックアップテーブル及び／又は条件ステートメント（例えばIF-THEN-ELSE）をプログラミングする際の基礎となり得るかを理解するであろう。
【００５３】
図４〜図１０を参照すると、種々のマスタメッセージ及び変換メッセージは、ＤＡＬＩ命令又はＤＡＬＩクエリの形式のいずれか一方である。図１１は、図４〜図１０のマスタメッセージ及び変換メッセージが「Are any lamp ballasts out?」と問うＤＡＬＩクエリの形式である場合におけるスレーブメッセージＳＭ１〜ＳＭ１４の通信を示している。スレーブメッセージＳＭ１〜ＳＭ１４を理解し易くするために、図１１は、以下の例示的な表４に従うスレーブメッセージＳＭ１〜ＳＭ１４の例示的な通信を示している。
【表４】
2007504617.tif 000006
【００５４】
図１１を参照すると、照明デバイス４０〜４２にクエリを伝達した後、スレーブ変換器３１は、照明デバイス４０〜４２からの応答のために期間Ｔ１待機する。スレーブ変換器３１は、（１）期間Ｔ１中に任意の肯定的なスレーブメッセージＳＭ１，ＳＭ３，ＳＭ５（例えば「My lamp is out」）か、（２）期間Ｔ１内に２つ又はそれよりも少ない否定的なスレーブメッセージＳＭ２，ＳＭ４，ＳＭ６（例えば「My lamp is operational」）か、又は（３）期間Ｔ１内にどのスレーブメッセージの受信も失敗したことを受信し次第、スレーブ変換器２１に肯定的なスレーブメッセージＳＭ９（例えば「A lamp is out」）を伝達する。逆に、スレーブ変換器３１は、期間Ｔ１内に全て否定的なスレーブメッセージＳＭ２，ＳＭ４，ＳＭ６（例えば「My lamp is operational」）を受信し次第、スレーブ変換器２１に否定的なスレーブメッセージＳＭ１０（例えば「All lamp is operational」）を伝達する。
【００５５】
同様に、スレーブデバイス３０〜３２にクエリを伝達した後、スレーブ変換器２１は、スレーブデバイス３０〜３２からの応答のために期間Ｔ２待機する。スレーブ変換器２１は、（１）期間Ｔ２中に任意の肯定的なスレーブメッセージＳＭ７，ＳＭ９，ＳＭ１１（例えば「My lamp is out」）か、（２）期間Ｔ２内に２つ又はそれよりも少ない否定的なスレーブメッセージＳＭ８，ＳＭ１０，ＳＭ１２（例えば「My lamp is operational」）か、又は（３）期間Ｔ１内にどのスレーブメッセージの受信も失敗したことを受信し次第、マスタ制御器１０に肯定的なスレーブメッセージＳＭ１３（例えば「A lamp is out」）を伝達する。逆に、スレーブ変換器２１は、期間Ｔ２内に全ての否定的なスレーブメッセージＳＭ８，ＳＭ１０，ＳＭ１２（例えば「My lamp is operational」）を受信し次第、マスタ制御器１０に否定的なスレーブメッセージＳＭ１４（例えば「All lamp is operational」）を伝達する。
【００５６】
スレーブ変換器２１によりスレーブデバイス３０〜３２に送られるクエリは、マスタ制御器１０からのクエリの受信に対応するか、又はクエリを伝達するためのプログラムされたタイムテーブルに従うかのいずれか一方であり得る。同様に、スレーブ変換器３１によりスレーブデバイス４０〜４２に送られるクエリは、スレーブ変換器２１からのクエリの受信に対応するか、又は対応するスレーブデバイスにクエリを伝達するためのプログラムされたタイムテーブルに従うかのいずれか一方であり得る。マスタ制御器１０からのクエリの受信に応じてスレーブ変換器２１がスレーブデバイス３０〜３２にクエリを行う時及びその次にスレーブ変換器２１からのクエリに応じてスレーブ変換器３１がスレーブデバイス４０〜４２にクエリを行う時はいつも、スレーブ変換器２１が任意の受信したスレーブメッセージＳＭ１〜ＳＭ６を解釈し、スレーブメッセージＳＭ９又はＳＭ１０を適切に伝達することを可能にするため、及びスレーブ変換器３１が任意の受信したスレーブメッセージＳＭ７〜ＳＭ１２を解釈することを可能にするために、期間Ｔ２は期間Ｔ１よりも十分に大きい（例えば、Ｔ２＞２Ｔ１）。その他の場合は、プログラムされたタイムテーブルに基づくスレーブ変換器２１．３１によるクエリの伝達のために期間Ｔ１と期間Ｔ２とは等しい。
【００５７】
プログラムされたタイムテーブルに基づいてスレーブデバイス３０〜３２にクエリを伝達する際、スレーブ変換機２１は、任意の受信したスレーブメッセージＳＭ７〜ＳＭ１２を解釈し、マスタ制御器１０からの関連するクエリの受信までスレーブメッセージＳＭ１３又はスレーブメッセージＳＭ１４のいずれか適切な方の伝達を一時停止する。同様に、プログラムされたタイムテーブルに基づいてスレーブデバイス４０〜４２にクエリを伝達する際、スレーブ受信機３１は、任意の受信したスレーブメッセージＳＭ１〜ＳＭ６を解釈し、スレーブ変換器２１からの関連するクエリの受信までスレーブメッセージＳＭ９又はスレーブメッセージＳＭ１０のいずれか適切な方の伝達を一時停止する。
【００５８】
図１２は、スレーブ変換器２１の１つの固有のプログラミングの特徴を示している。具体的には、スレーブ変換器２１は変換メッセージＴＭ又はマスタメッセージＭＭ（例えば「Go to light level xx」）をスレーブデバイス３０〜３２に伝達し、その変換メッセージＴＭ又はマスタメッセージＭＭに基づいて照明デバイス３０〜３２のその時の照明レベルを記憶する。スレーブ変換器２１は、照明デバイス３０〜３２のパワーレベルのクエリ（例えば「What are your light level ?」）のマスタ制御器１０からの次のマスタメッセージＭＭに反応する応答Ｒ１５（例えば「We are at light level xx」）を含むスレーブメッセージ１５を生成するようにプログラムされる。
【００５９】
図１３は、スレーブ変換器３１の１つの固有のプログラミングの特徴を示している。具体的には、スレーブ変換器３１は変換メッセージＴＭ又はマスタメッセージＭＭ（例えば「Go to light level xx」）をスレーブデバイス４０〜４２に伝達し、その変換メッセージＴＭ又はマスタメッセージＭＭに基づいて照明デバイス４０〜４２のその時の照明レベルを記憶する。スレーブ変換器３１は、照明デバイス４０〜４２のパワーレベルのクエリ（例えば「What are your light level ?」）のスレーブ変換器２１からの次の変換メッセージＴＭ又はマスタメッセージＭＭに反応する応答Ｒ１６（例えば「We are at light level xx」）を含むスレーブメッセージ１６を生成するようにプログラムされる。次に、スレーブ変換器２１が、照明デバイス３０〜３２のパワーレベルのクエリ（例えば「What are your light level ?」）のマスタ制御器１０からの次のマスタメッセージＭＭに反応する応答Ｒ１５（例えば「We are at light level xx」）を含むスレーブメッセージ１５を生成するようにプログラムされる。
【００６０】
本明細書中の図１〜図１３の説明は、本発明の照明システム内においてメッセージを通信する際の本発明の種々の基本方針の単純な説明に役立つように与えられている。しかしながら、実際には、例えば図１に示された照明システムに使用される７個の照明デバイス２０，２２，３０，３２，４０〜４２のようなＤＡＬＩ照明システムに６４又はそれよりも少ない照明デバイスが使用される場合は常に、本発明のＤＡＬＩ照明システムを実現することが非現実的である場合がある。それにもかかわらず、当業者であれば、少なくとも１つのスレーブ変換器と６５又はそれよりも多い照明デバイスとを使用する本発明のＤＡＬＩ照明システムを作り、動作させるために、図１〜図１３を参照して説明されたような本発明の種々の基本方針をどのようにして用いるかを理解するであろう。図１５〜図１９は、そのような照明システムの幾つかの例を示している。
【００６１】
図１４及び図１５は、最上位のネットワークレベルに通常のマスタ制御器（「ＭＣ」）１００を使用する照明システムを示している。中間のネットワークレベルにおいて、この照明システムは、マスタ制御器１００に通常通り接続される６３個の照明デバイス（「ＬＤ」）（そのうちの照明デバイス２００〜２０３が図示されている。）とマスタ制御器１００に通常通り接続されるスレーブ変換器２６３とを使用する。最下位のネットワークレベルでは、この照明システムは、スレーブ変換器２６３に通常通り接続される６４個の照明デバイス（「ＬＤ」）（そのうちの照明デバイス３００〜３０３，３６３が図示されている。）を使用する。上記図１〜図１３に示されている照明システムの説明から、当業者であれば、図１５に示されているような照明システム内の種々のマスタメッセージ通信路ＭＭ、変換メッセージ通信路ＴＭ及びスレーブメッセージ通信路ＳＭを理解するであろう。
【００６２】
図１６及び図１７は、最上位のネットワークレベルに通常のマスタ制御器（「ＭＣ」）１００を使用する照明システムを示している。１つの中間のネットワークレベルにおいて、この照明システムは、マスタ制御器１００に通常通り接続される６２個の照明デバイス（「ＬＤ」）（そのうちの照明デバイス２００〜２０２が図示されている。）とマスタ制御器１００に通常通り接続されるスレーブ変換器のペア２６２，２６３とを使用する。他の中間のネットワークレベルにおいては、この照明システムは、スレーブ変換器２６３に通常通り接続される６２個の照明デバイス（「ＬＤ」）（そのうちの照明デバイス３００，３０１が図示されている。）とスレーブ変換器２６３に通常通り接続されるスレーブ変換器３６４とを使用する。最下位のネットワークレベルにでは、この照明システムは、スレーブ変換器２６４に通常通り接続される６４個の照明デバイス（「ＬＤ」）（そのうちの照明デバイス４００，４６３が図示されている。）とスレーブ変換器３６４に通常通り接続される６４個の照明デバイス（「ＬＤ」）（そのうちの照明デバイス５００，５０１，５６３が図示されている。）とを使用する。上記図１〜図１３に示されている照明システムの説明から、当業者であれば、図１７に示されているような照明システム内の種々のマスタメッセージ通信路ＭＭ、変換メッセージ通信路ＴＭ及びスレーブメッセージ通信路ＳＭを理解するであろう。
【００６３】
図１８は、マスタ制御器１００と５つのローカルエリアネットワーク６００，７００，８００，９００，１０００とを使用する照明システムを示している。中間のネットワークレベルにおいて、ローカルエリアネットワーク６００はスレーブ変換器６０１を使用し、ローカルエリアネットワーク７００はスレーブ変換器７０１を使用し、ローカルエリアネットワーク８００はスレーブ変換器８０１を使用し、ローカルエリアネットワーク９００はスレーブ変換器９０１を使用し、ローカルエリアネットワーク１０００はスレーブ変換器１００１を使用する。最下位のネットワークレベルでは、ローカルエリアネットワーク６００は６４個の照明デバイス６０２〜６６５を使用し、ローカルエリアネットワーク７００は６４個の照明デバイス７０２〜７６５を使用し、ローカルエリアネットワーク８００は６４個の照明デバイス８０２〜８６５を使用し、ローカルエリアネットワーク９００は６４個の照明デバイス９０２〜９６５を使用し、ローカルエリアネットワーク１０００は６４個の照明デバイス１００２〜１０６５を使用する。上記図１〜図１３に示されている照明システムの説明から、当業者であれば、図１８に示されているような照明システム内の種々のマスタメッセージ通信路、変換メッセージ通信路及びスレーブメッセージ通信路を理解するであろう。
【００６４】
本明細書中に開示された本発明の実施の形態は現在好ましいと考えられるが、本発明の精神及び範囲から逸脱することなく種々の変更及び改良がなされ得る。本発明の範囲は後に付されている特許請求の範囲に示されており、同等の意味及び範囲内において生じる全ての変更が上記特許請求の範囲に含まれるよう意図されている。
【図面の簡単な説明】
【００６５】
【図１】本発明による照明システムの第１の実施の形態を示している。
【図２】図１に示されているような第２のネットワークレベルにおけるスレーブ変換器の本発明による一実施の形態を示している。
【図３】図１に示されているような第３のネットワークレベルにおけるスレーブ変換器の本発明による一実施の形態を示している。
【図４】コマンド変換モードに基づく図１に示されている照明システム内における種々のマスタ及び変換メッセージの第１の例示的な伝達を示している。
【図５】コマンド変換モードに基づく図１に示されている照明システム内における種々のマスタ及び変換メッセージの第２の例示的な伝達を示している。
【図６】コマンド変換モードに基づく図１に示されている照明システム内における種々のマスタ及び変換メッセージの第３の例示的な伝達を示している。
【図７】アドレス変換モードに基づく図１に示されている照明システム内における種々のマスタ及び変換メッセージの第１の例示的な伝達を示している。
【図８】アドレス変換モードに基づく図１に示されている照明システム内における種々のマスタ及び変換メッセージの第２の例示的な伝達を示している。
【図９】アドレスコマンド変換モードに基づく図１に示されている照明システム内における種々のマスタ及び変換メッセージの第３の例示的な伝達を示している。
【図１０】デフォルトの変換モードに基づく図１に示されている照明システム内における種々のマスタ及び変換メッセージの例示的な伝達を示している。
【図１１】図１に示されている照明システム内における種々のスレーブメッセージの第１の例示的な伝達を示している。
【図１２】図１に示されている照明システム内における種々のマスタ及びスレーブメッセージの第１の例示的な伝達を示している。
【図１３】図１に示されている照明システム内における種々のマスタ及びスレーブメッセージの第２の例示的な伝達を示している。
【図１４】本発明による照明システムの第２の実施の形態を示している。
【図１５】図１４に示されている照明システム内における種々のメッセージの伝達を示している。
【図１６】本発明による照明システムの第３の実施の形態を示している。
【図１７】図１６に示されている照明システム内における種々のメッセージの伝達を示している。
【図１８】本発明による照明システムの第４の実施の形態を示している。
【図１】
2007504617.tif 000007
【図２】
2007504617.tif 000008
【図３】
2007504617.tif 000009
【図４】
2007504617.tif 000010
【図５】
2007504617.tif 000011
【図６】
2007504617.tif 000012
【図７】
2007504617.tif 000013
【図８】
2007504617.tif 000014
【図９】
2007504617.tif 000015
【図１０】
2007504617.tif 000016
【図１１】
2007504617.tif 000017
【図１２】
2007504617.tif 000018
【図１３】
2007504617.tif 000019
【図１４】
2007504617.tif 000020
【図１５】
2007504617.tif 000021
【図１６】
2007504617.tif 000022
【図１７】
2007504617.tif 000023
【図１８】
2007504617.tif 000024
【国際調査報告】
2007504617.tif 000025
2007504617.tif 000026
2007504617.tif 000027